(57)【特許請求の範囲】
【請求項１】
無機質板をパレットに複数枚積載し、積載ブロック毎にオートクレーブ装置内に導入して高圧水蒸気養生するにあたって、積載ブロックの露出面部の少なくとも一面に、多孔質体の表面に取り付けられたステンレス板を対峙させ、ステンレス板が対峙する積載ブロックの露出面部の少なくとも一面を多孔質体で覆って高圧水蒸気養生することを特徴とするオートクレーブ養生方法。
【発明の詳細な説明】
【０００１】
【発明の属する技術分野】
この発明は、オートクレーブ養生方法に関するものである。さらに詳しくは、この発明は、無機質板の含水率を均一化し、クラックや反りの発生を防止することのできるオートクレーブ養生方法に関するものである。
【０００２】
【従来の技術】
従来より、住宅等の内外壁材、天井材、屋根材などに用いられるセメント板等の無機質板は、製造プロセスにおいてその複数枚がパレットに積載され、積載ブロック毎にオートクレーブ装置内に導入されて高圧水蒸気養生されている。高圧水蒸気養生を終了する際には、オートクレーブ装置内を高圧から大気圧にまで減圧するが、この時、無機質板の内部から水分が蒸発し、これにより板温度が低下すると同時に、含水率の低下も起こる。特にパレット最上下段に配置される無機質板の水分蒸発量は、オートクレーブ装置の内壁からの輻射熱などの影響を受け、積載ブロックの中段に位置する無機質板のそれより多く、無機質板間の含水率差が大きくなっている。この含水率差は、最上下段に位置する一枚の無機質板についてもその端部と芯部でも同様に生じている。すなわち、端部の水分蒸発量は、芯部よりも多くなっている。このため、パレット最上下段に配置される無機質板やその端部にはクラックや反りが発生しやすい。
【０００３】
このような積載ブロックにおける部位及び無機質板の部位による含水率差の問題を解消するために、従来では、たとえば、減圧速度を遅くする、又は積載ブロック最上段にステンレス板を載せるなどの対策が採られている。
【０００４】
【発明が解決しようとする課題】
しかしながら、これらの減圧速度制御や積載ブロック最上段へのステンレス板の配置によって積載ブロックの無機質板に発生する上記含水率差を十分に解消するまでには至っていないのが現状である。
この発明は、以上の通りの事情に鑑みてなされたものであり、オートクレーブ養生時に無機質板に起こる含水率差を問題のないレベルにまで低減し、含水率の均一化を図り、クラック及び反りの発生を防止することのできる、改善されたオートクレーブ養生方法を提供することを目的としている。
【０００５】
【課題を解決するための手段】
この発明は、上記の課題を解決するものとして、無機質板をパレットに複数枚積載し、積載ブロック毎にオートクレーブ装置内に導入して高圧水蒸気養生するにあたって、積載ブロックの露出面部の少なくとも一面に、多孔質体の表面に取り付けられたステンレス板を対峙させ、ステンレス板が対峙する積載ブロックの露出面部の少なくとも一面を多孔質体で覆って高圧水蒸気養生することを特徴とするオートクレーブ養生方法を提供する。
【０００６】
【発明の実施の形態】
以下、この発明のオートクレーブ養生方法についてさらに詳しく説明する。
セメント板等の無機質板の製造プロセスにおいては、高圧水蒸気養生する際に、たとえば図１に示したように、無機質板（１）は、パレット（２）上に複数枚積載され、積載ブロック毎にオートクレーブ装置（３）内に導入される。
【０００７】
この発明のオートクレーブ養生方法では、従来しばしば発生していた積載ブロック最上下段部と中段の間の含水率差、及び最上下段の無機質板の端部と芯部の間の含水率差を防止するために、図１の右側に示したように、積載ブロックの露出面部をステンレス板（４）を取り付けた多孔質体（５）で覆い、ステンレス板（４）を積載ブロックの露出面部に対峙させる。
【０００８】
なお、本発明の図１においては、無機質板（１）の積載ブロックの表面露出面部をステンレス板（４）を取り付けた多孔質体（５）で覆った実施例を例示したが、無機質板（１）の積載ブロックの側面露出面部をステンレス板（４）を取り付けた多孔質体（５）で覆ってもよいし、無機質板（１）の積載ブロックの表面露出面部および側面露出面部の、所謂、露出面部全面をステンレス板（４）を取り付けた多孔質体（５）で覆ってもよい。
【０００９】
もちろん、無機質板（１）の露出面部全面をステンレス板（４）を取り付けた多孔質体（５）で覆って高圧水蒸気養生すれば含水率の均一化が最も精度よく行えるので最適であるが、前記図１の実施例のように少なくとも無機質板（１）の積載ブロックの表面露出面部をステンレス板（４）を取り付けた多孔質体（５）で覆って高圧水蒸気養生するだけでも含水率の均一化効果は顕著に発揮される。
【００１０】
なお、図１において無機質板（１）の積載ブロックは、収納マガジン（６）に収納され、オートクレーブ装置（３）内で積載時より９０°回転された状態で配置されている。
このように、オートクレーブ装置（３）内で高圧水蒸気養生する際に、積層ブロックと対峙させてステンレス板（４）を取り付けた多孔質体（５）で積載ブロックの露出面部の少なくとも一面を覆うことにより、積載ブロックにおける複数枚の無機質板の含水率を均一化することができる。
【００１１】
すなわち、オートクレーブ装置（３）内を高圧蒸気で所定の圧力まで昇圧すると、多孔質体（５）の表面で凝結水が発生し、これが多孔質体（５）に吸収される。高圧水蒸気養生を終了するにあたって高圧から大気圧にまで減圧すると、そのようにして多孔質体（５）に吸収された凝結水は蒸発するため、多孔質体（５）は無機質板（１）と同様に温度が低下する。これによって、多孔質体（５）で覆われた無機質板（１）には、熱伝導やオートクレーブ装置（３）の内壁からの輻射熱などの熱影響が解消される。積載ブロックにおける無機質板（１）の最上下段と中段の間、また、最上下段の無機質板（１）の端部と芯部の間の水分蒸発量が一定となり、含水率差が許容範囲にまで低減される。
【００１２】
多孔質体（５）に吸収された凝結水は重力の影響で下方に蓄積されるが、ステンレス板（４）は、この凝結水が無機質板（１）に吸収されるのを防止する。積載ブロックにおける無機質板（１）の最上下段と中段の間、また、最上下段の無機質板（１）の端部と芯部の間の含水率差はより一層低減される。
これらの結果、無機質板（１）の含水率は均一化され、積載ブロックの最上下段に位置する無機質板（１）にクラックや反りが発生しにくくなる。
【００１３】
多孔質体（５）はその素材に特別な制限はない。吸水性を有し、耐熱性、耐久性等を備えていればよい。たとえば、金属、セラミックス、耐熱樹脂等が例示される。ステンレス板（４）は、特性、価格等において同等とみなされ、使用可能であれば、他の素材のものに置き換えることができる。
【００１４】
【実施例】
積載ブロックの最上段に位置するセメントパルプ補強板の上にステンレス板（厚さ0.8mm ）を取り付けたポリフェニレンサルファイド繊維のフェルト（比重0.3 、厚さ12mm）（実施例１）および無機質板（厚さ15mm）（実施例２）をそれぞれ多孔質体として配置し、最上段のセメントパルプ補強板の全面を覆った。セメントパルプ補強板にはステンレス板を対峙させた。
【００１５】
オートクレーブ装置内におけるセメントパルプ補強板のパレット積載状態は、図１に示した通りとし、１つのパレット（２）につきセメントパルプ補強板を80枚積載し、これを収納マガジン（６）に収納した後に90°回転した状態とした。そして、図２に示した養生条件でセメントパルプ補強板を高圧水蒸気養生した。
【００１６】
比較のために、最上段のセメントパルプ補強板をステンレス板及び多孔質体で覆わずに、図１の左側に示した状態でオートクレーブ装置（３）内に配置し、同様な条件で高圧水蒸気養生した（比較例１）。また、実施例１と同様のポリフェニレンサルファイド繊維のフェルト（比重0.3 、厚さ12mm）のみを最上段のセメントパルプ補強板上に配置して同様な条件で高圧水蒸気養生した（比較例２）。
【００１７】
養生終了後、積載ブロック最上段のセメントパルプ補強板と下から40枚目（中段）のセメントパルプ補強板の含水率を測定した。また、積載ブロック最上段のセメントパルプ補強板については含水率の分布も調べた。その結果を示したのが表１である。なお、含水率は、105 ℃乾燥をベースにした。
【００１８】
【表１】
0003880713.tif 000002
【００１９】
この表１から明らかなように、積載ブロック最上段の無機質板表面をステンレス板及び多孔質体で覆うことにより、積載ブロックの最上段と中段での無機質板の含水率が低減され、また、最上段の無機質板における含水率差も低減される。クラックや反りが防止可能となる。ステンレス板の併用は、積載ブロック最上段に位置する無機質板の含水率分布をより一層均一化する。
【００２０】
もちろんこの発明は、以上の実施形態によって限定されるものではない。無機質板及び多孔質体の素材、オートクレーブ養生条件等の細部については様々な態様が可能であることは言うまでもない。
【００２１】
【発明の効果】
以上詳しく説明した通り、この発明によって、オートクレーブ養生時の無機質板の含水率が均一化され、クラック及び反りの発生が防止可能となる。
【図面の簡単な説明】
【図１】この発明のオートクレーブ養生方法を例示した断面図である。
【図２】オートクレーブ時の時間−圧力の経過を示したグラフである。
【符号の説明】
１    無機質板
２    パレット
３    オートクレーブ装置
４    ステンレス板
５    多孔質体
６    収納マガジン
【図１】
0003880713.tif 000003
【図２】
0003880713.tif 000004